(57)【要約】【課題】冷却ファンを複数備え、動作する冷却ファンの数や回転数を変えることで誘導加熱調理器の低騒音化を図る。【解決手段】加熱コイル１３と、加熱コイル１３に高周波電流を流すインバータ回路１４と、インバータ回路１４の出力を制御する制御手段１５と、第１の冷却ファン１６と、第１の冷却ファン１６の回転速度を調整する第１速度調整手段１７と、第２の冷却ファン１９と、第２の冷却ファン１９の回転速度を調整する第２速度調整手段２０を備え、第１速度調整手段１７と第２速度調整手段２０は独立してそれぞれ第１の冷却ファン１６および第２の冷却ファン１９の回転数を制御する誘導加熱調理器。【選択図】　図１
2004111090.tif 000002
【特許請求の範囲】
【請求項１】
加熱コイルと、前記加熱コイルに高周波電流を流すインバータ回路と、前記インバータ回路の出力を制御する制御手段と、前記インバータ回路を冷却する第１の冷却ファンと、前記第１の冷却ファンの回転速度を調整する第１速度調整手段と、前記インバータ回路を冷却する第２の冷却ファンと、前記第２の冷却ファンの回転速度を調整する第２速度調整手段とを備え、前記第１速度調整手段と前記第２速度調整手段は独立してそれぞれ前記第１の冷却ファンおよび前記第２の冷却ファンの回転数を制御する誘導加熱調理器。
【請求項２】
調理モード選択手段を備え、前記調理モード選択手段により選択されたモードにより第１速度調整手段と第２速度調整手段は、それぞれ第１の冷却ファンと第２の冷却ファンの回転数を変えて制御する請求項１記載の誘導加熱調理器。
【請求項３】
インバータ回路の温度を検知するインバータ温度検知手段を備え、第１速度調整手段と第２速度調整手段は、前記インバータ温度検知手段により検知した温度に応じてそれぞれ第１の冷却ファンと第２の冷却ファンの回転数を変えて制御する請求項１または２記載の誘導加熱調理器。
【請求項４】
第１速度調整手段と第２速度調整手段の少なくとも一方は、インバータ温度検知手段により検知した温度の温度上昇勾配が所定値以上の時、回転数を制御する冷却ファンの回転数を大きくする請求項３記載の誘導加熱調理器。
【請求項５】
加熱コイルの温度を検知する加熱コイル温度検知手段を備え、第１速度調整手段と第２速度調整手段は、前記加熱コイル温度検知手段により検知した温度に応じてそれぞれ第１の冷却ファンと第２の冷却ファンの回転数を制御する請求項１〜４のいずれか１項記載の誘導加熱調理器。
【請求項６】
加熱コイルに流れる電流を検知する加熱コイル電流検知手段を備え、第１速度調整手段と第２速度調整手段は、前記加熱コイル電流検知手段により検知した電流に応じてそれぞれ第１の冷却ファンと第２の冷却ファンの回転数を制御する請求項１〜５のいずれか１項記載の誘導加熱調理器。
【発明の詳細な説明】
【０００１】
【発明の属する技術分野】
本発明は、一般キッチンや業務用等に用いられる誘導加熱調理器に関するものである。
【０００２】
【従来の技術】
近年、誘導加熱調理器は安全・清潔・高効率という優れた特徴が認知され、一般家庭のキッチンや業務用等に広く普及されている。
【０００３】
以下、従来構成の誘導加熱調理器について図６を参照して説明する。図において、４１は商用電源、４２は商用電源４１を直流に変換する整流回路、４３は加熱コイル、４４は加熱コイル４３に高周波電流を供給するインバータ回路、４５はインバータ回路４４による加熱出力を制御する制御手段、４６は冷却ファン、４７は冷却ファン４６の回転速度を調整する速度調整手段、４８は加熱のオン・オフや火力を設定する操作手段である。
【０００４】
以上のように構成された誘導加熱調理器では、操作手段４７にて加熱が開始されるとインバータ回路４４の出力に応じて制御手段４５は速度調整手段４７より冷却ファン４７を駆動し、加熱コイル４３やインバータ回路４４の部品が熱破壊に至らないよう強制空冷により冷却していた。
【０００５】
【特許文献１】
特開２００１−２６７０５４号公報
【０００６】
【発明が解決しようとする課題】
しかしながら、上記従来の構成では、インバータ回路４４動作時の出力に応じて速度調整手段４７により冷却ファン４７の回転数を変更し、商品の静音化を図ることがなされていたが、加熱コイル４３やインバータ回路４４の部品の発熱は加熱する負荷により異なり、最悪の負荷を踏まえてインバータ回路４４の出力に応じた冷却ファン４７の回転数が決まっている。よって、発熱の少ない負荷を加熱しているときには、冷却ファン４７は必要以上の回転数で回転し冷却していることになり、不要な騒音が発生するという課題があった。
【０００７】
本発明は上記課題を解決するもので、複数の冷却ファンを備え、独立してそれぞれの冷却ファンの回転数を制御し過冷却により発生する騒音を抑え静音化を図る誘導加熱調理器を提供することを目的とする。
【０００８】
【課題を解決するための手段】
上記目的を達成するために、本発明の誘導加熱調理器は、第１の冷却ファンと、前記第１の冷却ファンの回転速度を調整する第１速度調整手段と、第２の冷却ファンと、前記第２の冷却ファンの回転速度を調整する第２速度調整手段を備え、前記第１速度調整手段と前記第２速度調整手段は独立してそれぞれ前記第１の冷却ファンおよび前記第２の冷却ファンの回転数を制御するものである。
【０００９】
これにより、冷却ファンを複数備えることで冷却に必要な場所に効率よく冷却風を当てることが可能となり、単独の冷却ファンによる回転数制御の時よりも静音化を図ることが可能である。
【００１０】
【発明の実施の形態】
本発明の請求項１に記載の発明は、加熱コイルと、前記加熱コイルに高周波電流を流すインバータ回路と、前記インバータ回路の出力を制御する制御手段と、前記インバータ回路を冷却する第１の冷却ファンと、前記第１の冷却ファンの回転速度を調整する第１速度調整手段と、前記インバータ回路を冷却する第２の冷却ファンと、前記第２の冷却ファンの回転速度を調整する第２速度調整手段を備え、前記第１速度調整手段と前記第２速度調整手段は独立してそれぞれ前記第１の冷却ファンおよび前記第２の冷却ファンの回転数を制御する構成とするものである。
【００１１】
これにより、冷却ファンを複数備えることで冷却に必要な場所に効率よく冷却風を当てることが可能となり、単独の冷却ファンの回転数制御の時よりも静音化を図ることができる。
【００１２】
本発明の請求項２に記載の発明は、特に請求項１の構成において調理モード選択手段を備え、前記調理モード選択手段により選択されたモードにより第１速度調整手段と第２速度調整手段は、それぞれ第１の冷却ファンと第２の冷却ファンの回転数を変えて制御するとしたものである。
【００１３】
これにより、特に調理モードに影響を受けて発熱しやすい場所を集中して冷却できるとともに、全体の冷却風は抑えることができ単独の冷却ファンの回転数制御の時よりも静音化を図ることができる。
【００１４】
本発明の請求項３に記載の発明は、請求項１、２の構成において更にインバータ回路の温度を検知するインバータ温度検知手段を備え、第１速度調整手段と第２速度調整手段は、前記インバータ温度検知手段により検知した温度に応じてそれぞれ第１の冷却ファンと第２の冷却ファンの回転数を変えて制御するとしたものである。
【００１５】
これにより、特に冷却の必要なインバータ回路の構成部品の冷却においても最小限の風量での冷却ができ静音化を図ることができる。
【００１６】
本発明の請求項４に記載の発明は、特に請求項３の構成において第１速度調整手段と第２速度調整手段の少なくとも一方は、インバータ温度検知手段により検知した温度の温度上昇勾配が所定値以上の時、回転数を制御する冷却ファンの回転数を大きくするものである。
【００１７】
特に温度上昇勾配にて回転数を制御するので異常時などにおいて温度検知手段のばらつきなどに影響を受けずに冷却風を増加させることができ、構成部品の熱破壊を防ぐことが可能である。
【００１８】
本発明の請求項５に記載の発明は、請求項１〜４のいずれかの構成において加熱コイルの温度を検知する加熱コイル温度検知手段を備え、第１速度調整手段と第２速度調整手段は、前記加熱コイル温度検知手段により検知した温度に応じてそれぞれ第１の冷却ファンと第２の冷却ファンの回転数を制御するものである。
【００１９】
これにより、通常時の過冷却による発生する騒音の低下を図るとともに、加熱コイルの温度が上がりすぎる場合には、冷却風を増加させ加熱コイルが絶縁破壊することを防ぐことが可能となる。
【００２０】
本発明の請求項６に記載の発明は、請求項１〜５のいずれかの構成において更に加熱コイルに流れる電流を検知する加熱コイル電流検知手段を備え、前記加熱コイル電流検知手段により検知した電流が所定値以上の時は、第２速度調整手段により第２の冷却ファンを回転するとともに、前記第２速度調整手段は前記加熱コイル電流検知手段により検知した電流に応じた複数の回転数で前記第２の冷却ファンの回転数を制御するとするものである。
【００２１】
これにより、通常時の過冷却による発生する騒音の低下を図るとともに、加熱コイルに電流が多く流れることで温度が上がりすぎる場合には、冷却風を増加させ加熱コイルが絶縁破壊することを防ぐことが可能となる。
【００２２】
【実施例】
（実施例１）
以下本発明の実施例について、図１、２を参照しながら説明する。
【００２３】
図１において、１１は商用電源、１２は商用電源１１を直流に変換する整流回路、１３は加熱コイル、１４は加熱コイル１３に高周波電流を供給するインバータ回路、１５はインバータ回路１４による加熱出力を制御する制御手段、１６は前記インバータ回路１４やその周辺を冷却する第１の冷却ファン、１７は第１の冷却ファン１６の回転速度を調整する第１速度調整手段、１８ａは加熱のオン・オフや火力を設定する操作手段、１８ｂは調理モードを選択する調理モード選択手段、１９は前記インバータ回路１４やその周辺を冷却する第２の冷却ファン、２０は第２の冷却ファン１９の回転速度を調整する第２速度調整手段、２１はインバータ回路１４の構成部品であるスイッチング素子（図示せず）の近傍の温度を検知するインバータ温度検知手段、２２はインバータ温度検知手段２１で検知した温度の傾きを検知する傾き検知手段である。
【００２４】
以上のように構成された誘導加熱調理器についてその動作を説明する。操作手段１８により加熱が開始されると加熱コイル１３上方に載置された負荷鍋を加熱するために制御手段１５がインバータ回路１４の出力を制御する。また、第１速度調整手段１７により第１の冷却ファン１６を回転させて調理器内の冷却を行う。
【００２５】
ここで図２で示すように、加熱中にインバータ温度検知手段２１にて検知した温度がしきい値（ａ）より高くなったことを検知すると、第２速度調整手段２０は第２の冷却ファン１９の回転数がＡ（ｒｐｍ）で回るように制御する。更に、インバータ温度検知手段２１にて検知した温度がしきい値（ｂ）より高くなると、第２速度調整手段２０は第２の冷却ファン１９の回転数をＢ（ｒｐｍ）に、検知温度がしきい値（ｃ）より高くなると回転数をＣ（ｒｐｍ）で回るように制御する。
【００２６】
また、傾き検知手段２２にてインバータ温度検知手段２１にて検知した温度の温度上昇勾配がｄ（℃／ｍｉｎ）以上の変化であれば第２速度調整手段２０は第２の冷却ファン１９の回転数をＤ（ｒｐｍ）で回るように制御する。
【００２７】
以上のようにインバータ温度検知手段２１により第２の冷却ファン１９の回転数を制御することにより過冷却による発生する騒音の低下を図るとともに、冷却ファンを複数備えることで冷却に必要な場所に効率よく冷却風を当てることが可能なり、単独の冷却ファンによる回転数制御の時よりも静音化を図ることができる。また、急激にインバータ回路１４の温度が上昇するような負荷鍋を加熱している時には冷却風を増加させることができ、構成部品の熱破壊を防ぐことが可能である。
【００２８】
尚、本実施例では第１の冷却ファン１６の回転数は一定としたが、第２の冷却ファン１９同様に回転数を制御するようにしても良い。
【００２９】
（実施例２）
以下本発明の実施例について、図３〜５を参照しながら説明する。
【００３０】
図３において実施例１と同じ符号のものは同じ機能を有しており説明は省略する。２３は加熱コイル１３の近傍の温度を検知する加熱コイル温度検知手段、２４は加熱コイルに流れる電流を検知する加熱コイル電流検知手段である。
【００３１】
以上のように構成された誘導加熱調理器において、操作手段１８により加熱が開始されると加熱コイル１３上方に載置された負荷鍋を加熱するために制御手段１５がインバータ回路１４の出力を制御する。また、第１速度調整手段１７により第１の冷却ファン１６を回転させて調理器内の冷却を行う。
【００３２】
ここで図４で示すように、加熱中に加熱コイル温度検知手段２３にて検知した温度がしきい値（ｅ）より高くなったことを検知すると、第２速度調整手段２０は第２の冷却ファン１９の回転数がＥ（ｒｐｍ）で回るように制御する。
【００３３】
更に、加熱コイル温度検知手段２３にて検知した温度がしきい値（ｆ）より高くなると、第２速度調整手段２０は第２の冷却ファン１９の回転数をＦ（ｒｐｍ）に、検知温度がしきい値（ｇ）より高くなると回転数をＧ（ｒｐｍ）で回るように制御する。これにより通常時の過冷却による発生する騒音の低下を図るとともに、加熱コイルの温度が上がりすぎる場合には、冷却風を増加させ加熱コイルが絶縁破壊することを防ぐことが可能となる。
【００３４】
また図５で示すように、加熱中に加熱コイル電流検知手段２４にて検知した電流値がしきい値（ｈ）より大きいことを検知すると、第２速度調整手段２０は第２の冷却ファン１９の回転数がＨ（ｒｐｍ）で回るように制御する。更に、加熱コイル電流検知手段２４にて検知した電流値がしきい値（ｊ）より大きい場合は、第２速度調整手段２０は第２の冷却ファン１９の回転数をＪ（ｒｐｍ）に、検知電流値がしきい値（ｋ）より大きい場合は回転数をＫ（ｒｐｍ）で回るように制御する。これにより通常時の過冷却による発生する騒音の低下を図るとともに、加熱コイルに電流が多く流れることで温度が上がりすぎる場合には、冷却風を増加させ加熱コイルが絶縁破壊することを防ぐことが可能となる。
【００３５】
更に第１の冷却ファン１６は主にインバータ回路１４の冷却、第２の冷却ファン１９は加熱コイル１３の冷却を行うように設置すれば、冷却に必要な場所に効率よく冷却風を当てることが可能なり、単独の冷却ファンによる回転数制御の時よりも静音化を図ることができる。
【００３６】
【発明の効果】
以上のように本発明は、複数の冷却ファンを備え、それぞれ独立して冷却ファンの回転数を制御するものである。
【００３７】
これにより、冷却ファンを複数備えることで冷却に必要な場所に効率よく冷却風を当てることが可能となり、単独の冷却ファンによる回転数制御の時よりも静音化を図ることが可能である。
【図面の簡単な説明】
【図１】本発明の第１の実施例における誘導加熱調理器のブロック図
【図２】同インバータ温度検知手段による検知温度と第２の冷却ファンの回転数の関係を示す図
【図３】本発明の第２の実施例における誘導加熱調理器のブロック図
【図４】同加熱コイル温度検知手段による検知温度と第２の冷却ファンの回転数の関係を示す図
【図５】同加熱コイル電流検知手段による検知電流と第２の冷却ファンの回転数の関係を示す図
【図６】従来例における誘導加熱調理器のブロック図
【符号の説明】
１３　加熱コイル
１４　インバータ回路
１５　制御手段
１６　第１の冷却ファン
１７　第１速度調整手段
１８ｂ　調理モード選択手段
１９　第２の冷却ファン
２０　第２速度調整手段
２１　インバータ温度検知手段
２３　加熱コイル温度検知手段
２４　加熱コイル電流検知手段
【図１】
2004111090.tif 000003
【図２】
2004111090.tif 000004
【図３】
2004111090.tif 000005
【図４】
2004111090.tif 000006
【図５】
2004111090.tif 000007
【図６】
2004111090.tif 000008